(57)【特許請求の範囲】
【請求項１】
鋼部材の現場溶接後の溶接線を下方からバキュームブラストするバキュームブラスト装置であって、
該溶接線の直下を該溶接線に沿って配設されたガイドシース樋と、
前記溶接線を含むブラスト面に密着する密着部材により該ブラスト面の一部を取り囲んで閉空間を形成して、ブラスト材の噴射および吸引をするバキュームブラストヘッドと、
を備え、
該バキュームブラストヘッドは、前記ガイドシース樋内に配置されて該ガイドシース樋内をその長手方向に移動可能であり、該移動とともに上方にブラスト材を噴射して、前記溶接線を下方からバキュームブラストすることができることを特徴とするバキュームブラスト装置。
【請求項２】
１以上のスカラップを横切る、鋼部材の現場溶接後の溶接線を下方からバキュームブラストするバキュームブラスト装置であって、
１以上の前記スカラップ内に配設されて、前記溶接線の直下を該溶接線に沿って配設されたガイドシース樋と、
前記溶接線を含むブラスト面に密着する密着部材により該ブラスト面の一部を取り囲んで閉空間を形成して、ブラスト材の噴射および吸引をするバキュームブラストヘッドと、
を備え、
該バキュームブラストヘッドは、前記ガイドシース樋内に配置されて該ガイドシース樋内をその長手方向に移動可能であり、該移動とともに上方にブラスト材を噴射して、１以上の前記スカラップを横切りつつ、前記溶接線を下方からバキュームブラストすることができることを特徴とするバキュームブラスト装置。
【請求項３】
前記ガイドシース樋の断面形状の外形が、前記スカラップの形状に合わせた形状であることを特徴とする請求項２に記載のバキュームブラスト装置。
【請求項４】
前記ガイドシース樋が、鋼部材に対して繰り返し脱着可能な固定治具を用いて固定されていることを特徴とする請求項１〜３のいずれかに記載のバキュームブラスト装置。
【請求項５】
前記固定治具が、磁力によって鋼部材に固定されるものであることを特徴とする請求項４に記載のバキュームブラスト装置。
【請求項６】
前記ガイドシース樋が、前記スカラップへ載置されて配設されていることを特徴とする請求項３に記載のバキュームブラスト装置。
【請求項７】
前記ガイドシース樋が、お互いに連結可能な分断要素体を連結してなることを特徴とする請求項１〜６のいずれかに記載のバキュームブラスト装置。
【請求項８】
前記ガイドシース樋が、その長手方向に曲げ変形が可能な構造であることを特徴とする請求項１〜７のいずれかに記載のバキュームブラスト装置。
【請求項９】
前記ガイドシース樋が、可撓性材料で製作されてなることを特徴とする請求項１〜８のいずれかに記載のバキュームブラスト装置。
【請求項１０】
前記ガイドシース樋の断面形状の内形が、前記ヘッドの断面形状の外形に合った形状であることを特徴とする請求項１〜９のいずれかに記載のバキュームブラスト装置。
【請求項１１】
前記ガイドシース樋の最上部には、前記ブラスト面と接する弾性体が備えられていることを特徴とする請求項１〜１０のいずれかに記載のバキュームブラスト装置。
【請求項１２】
前記ガイドシース樋が、透明材料で形成されていることを特徴とする請求項１〜１１のいずれかに記載のバキュームブラスト装置。
【請求項１３】
前記バキュームブラストヘッドが、ブラスト材の進行方向を前記ガイドシース樋の長手方向から前記ブラスト面に向かう方向に偏角するブラストノズルを備えていることを特徴とする請求項１〜１２のいずれかに記載のバキュームブラスト装置。
【請求項１４】
前記バキュームブラストヘッドが、前記ガイドシース樋内をその長手方向に移動することを容易にする移動補助機構を備えていることを特徴とする請求項１〜１３のいずれかに記載のバキュームブラスト装置。
【請求項１５】
前記移動補助機構が、前記ガイドシース樋内面の最下部よりも該内面の上方に接する車輪であることを特徴とする請求項１〜１４のいずれかに記載のバキュームブラスト装置。
【請求項１６】
前記ブラストヘッドが高さ調節機構を有しており、前記ブラスト面への密着性を調節できることを特徴とする請求項１〜１５のいずれかに記載のバキュームブラスト装置。
【請求項１７】
前記密着部材がブラシであることを特徴とする請求項１〜１６のいずれかに記載のバキュームブラスト装置。
【請求項１８】
鋼部材の現場溶接後の溶接線を下方からバキュームブラストするバキュームブラスト方法であって、
該溶接線の直下を該溶接線に沿って配設されたガイドシース樋内に、前記溶接線を含むブラスト面に密着する密着部材により該ブラスト面の一部を取り囲んで閉空間を形成して、ブラスト材の噴射および吸引をするバキュームブラストヘッドを配置し、該ガイドシース樋内をその長手方向に移動させつつ、上方にブラスト材を噴射させて、前記溶接線を下方からバキュームブラストすることを特徴とするバキュームブラスト方法。
【請求項１９】
１以上のスカラップを横切る、鋼部材の現場溶接後の溶接線を下方からバキュームブラストするバキュームブラスト方法であって、
１以上の前記スカラップ内に配設されて、前記溶接線の直下を該溶接線に沿って配設されたガイドシース樋内に、前記溶接線を含むブラスト面に密着する密着部材により該ブラスト面の一部を取り囲んで閉空間を形成して、ブラスト材の噴射および吸引をするバキュームブラストヘッドを配置し、該ガイドシース樋内をその長手方向に移動させつつ、上方にブラスト材を噴射させて、１以上の前記スカラップを横切らせながら、前記溶接線を下方からバキュームブラストすることを特徴とするバキュームブラスト方法。
【発明の詳細な説明】
【技術分野】
【０００１】
本発明は、バキュームブラスト装置およびバキュームブラスト方法に関し、詳しくは、鋼床版同士の溶接線をブラスト処理するに際し、スカラップ近傍領域においても好適に用いることができるバキュームブラスト装置およびバキュームブラスト方法に関する。
【背景技術】
【０００２】
鋼構造物の長寿命化のために塗装性能を向上させることが求められており、素地調整を現場で行う場合であっても、１種ケレンに相当する素地調整が求められるようになってきている。例えば、鋼橋塗装の規準書である鋼橋塗装・防食便覧（平成１７年１２月版）では、新設橋の現場施工の継ぎ手部のうち、ボルト継ぎ手では動力工具を用いる２種ケレンも許容されているが、溶接継ぎ手では１種ケレンまで求められており、ブラストを掛けることが必要とされている。また、既設橋の塗り替え塗装においても、耐久性が特に求められる場合には１種ケレンまで求められており、ブラスト処理を行うことが求められている。
【０００３】
図１は、Ｕリブ鋼床版を斜め上方から見た斜視図であり、図２は、斜め下方から見た斜視図である。
【０００４】
Ｕリブ鋼床版１００は、鋼板で形成された鋼床版（デッキプレート）１０２と、鋼床版（デッキプレート）１０２の下面に橋軸方向に配置された主桁（縦桁）１０４と、橋軸直角方向に配置された横桁１０６と、を主構造とし、さらに鋼床版（デッキプレート）１０２の下面にＵリブ（縦リブ）１０８を橋軸方向に配置し、横リブ１１０を橋軸直角方向に配置して補強した構造である。Ｕリブ鋼床版１００の大きさは橋軸方向に１０ｍ程度、橋軸直角方向に３ｍ程度であり、複数のＵリブ鋼床版１００が現場で溶接接合やボルト接合等で連結されて道路橋の上部工を形成している。符号１１２は現場での溶接接合による溶接線を示し、符号１１４は現場ボルト接合部を示す。
【０００５】
図３は、現場で溶接される鋼床版１００を斜め上方から見た斜視図である。鋼床版（デッキプレート）１０２同士は現場溶接により連結されており、図３に示すように、橋軸方向および橋軸直角方向に、溶接線１１２が形成されて連結されている。溶接線１１２は、線状に連なった溶接ビード１２０（図５参照）のことである。溶接線１１２の幅は１０ｍｍ程度である。鋼床版（デッキプレート）１０２の上面には舗装が施されており、道路面が形成されている。
【０００６】
Ｕリブ鋼床版１００の現場溶接については、図４に示すように、鋼床版（デッキプレート）１０２下面に裏波の出る特殊な裏当て材１１６と裏当て材カバー１１８を設置した後に、図５に示すように、鋼床版（デッキプレート）１０２上面からサブマージアーク溶接を行うことが一般的であり、現場溶接を行う２つの鋼床版（デッキプレート）１０２の開先部の間には、サブマージアーク溶接による溶接金属によって溶接ビード１２０（溶接線１１２）が形成されて、２つの鋼床版（デッキプレート）１０２は連結される。鋼床版１０２下面においては、溶接の裏当て材１１６と裏当て材カバー１１８（図４参照）を通すために、Ｕリブ１０８、主桁１０４、横桁１０６、横リブ１１０のリブ材１４２には切り欠きであるスカラップ１４０が設けられている。
【０００７】
しかし、溶接線１１２の上面および下面には、溶接バリ１１２Ａ（図７参照）が発生する。この溶接バリ１１２Ａは現場塗装を行う前に研掃する必要がある。先に述べたように、溶接継ぎ手であるため１種ケレンまで求められており、ブラストを掛けることが必要とされている。このブラスト処理に際しては、事前に施工された工場塗装部分に傷を付けないようにする必要がある。また、溶接線１１２は図３等に示すように線状に存在するため、溶接線１１２の研掃は線状に行う必要がある。
【０００８】
また、ブラスト処理においては、ブラスト時の粉塵対策が厳しく制限されるようになってきており、例えば、ブラスト材（研削材）として従来多用されてきた珪砂は、もろくて粉塵となりやすいため、その使用は平成１９年度から禁止されている。このように、ブラスト処理においては、粉塵の飛散を極力避けることが求められている。
【０００９】
このため、溶接線１１２の研掃においては、バキュームブラスト法を用いることが有利である。
【００１０】
図６は、鋼床版１０２下面の溶接線１１２に対してバキュームブラストを行っている状況を模式的に示す断面図であり、該断面は溶接線１１２を含む面で鉛直方向に切断した断面である。バキュームブラストに用いる従来のバキュームブラストヘッド１３０は、図６に示すように、ブラスト材を圧縮空気で送り込むブラストホースが接続されたブラスト供給部１３２と、ブラスト材やブラスト材により削り落とされたものを吸引するバキュームホースが接続されたバキューム部１３４とを有し、先端部には、ブラスト面の凹凸に追従でき、ブラストする部位を囲むブラシ１３６が設けられている。なお、ブラスト面とはブラスト処理の対象となる部位を含む面のことであり、ここでは鋼床版１０２の下面である。従来のバキュームブラストヘッド１３０の形状は、直径５０ｍｍ程度、高さ２００ｍｍ程度の円筒状である。ブラスト性能を良好に保つためには、バキュームブラストヘッド１３０をブラスト面に垂直に当てる必要がある。なお、図６において、バキュームブラストヘッド１３０を２つ描いているが、図において右から左にバキュームブラストヘッド１３０を溶接線１１２に沿って移動させてブラスト処理を行っている状況を示すために２つ描いたものである。
【００１１】
しかし、バキュームブラストヘッド１３０は重く、また、バキュームブラストヘッド１３０を上方のブラスト面に押し付けて、バキュームブラストヘッド１３０をブラスト面に対して垂直に保持しつつ、ブラスト面に沿って移動させなくてはならないため、上向き作業を行うことが重労働となっている。
【００１２】
これに対し、バキュームブラスト法を用いた自走式のブラスト装置として、例えば、特許文献１や特許文献２に記載のブラスト装置が提案されている。
【００１３】
【特許文献１】特開昭５９−１２４５７１号公報
【特許文献２】特開２０００−１４１２２６号公報
【発明の開示】
【発明が解決しようとする課題】
【００１４】
一方、前述のように、鋼床版１０２下面においては、溶接の裏当て材１１６と裏当て材カバー１１８（図４参照）を通すために、Ｕリブ１０８、主桁１０４、横桁１０６、横リブ１１０のリブ材１４２には切り欠きであるスカラップ１４０が設けられている。図１および図２に示すように、２つのリブ材１４２をもつＵリブ１０８は７００ｍｍ程度の狭い間隔で配置されているため、スカラップ１４０は、４００〜５００ｍｍ間隔で配置されることになる。スカラップ１４０は半円形であり、幅は８０〜１２０ｍｍ程度、高さは３５〜５０ｍｍ程度である。
【００１５】
スカラップ１４０は多数存在するが、スカラップ１４０の直上の溶接線１１２とその近傍についても研掃して溶接バリを落とす必要があり、ブラスト処理による１種ケレンを行うことが必要である。
【００１６】
しかしながら、特許文献１や特許文献２に記載のブラスト装置はレールの配設が必要であり、スカラップを越えて適用するのが困難であり、連続ブラストをすることが困難である。このため、溶接線に対して効率よくブラスト作業を行うことができない。
【００１７】
また、作業員が下からバキュームブラストヘッドを支えてバキュームブラストをする場合であっても、従来のバキュームブラストヘッド１３０の大きさはスカラップ１４０の大きさよりも大きく、従来のバキュームブラストヘッド１３０はスカラップ１４０を通過できないため、図６に示すように、リブ板１４２のスカラップ１４０の直上および近傍において、リブ板１４２の側面から２５ｍｍ程度の範囲は、ブラシ１３６をブラスト面に垂直に当てることができず、バキュームブラストをすることができない。
【００１８】
また、バキュームブラストヘッドに加わる力には、自重、ブラスト噴射の反力、真空吸着力、作業員が加える力、ヘッドの移動に伴う凹凸からの力等があるため、作業員が下からバキュームブラストヘッドを支えてヘッドを移動させつつ、ブラスト面にバキュームブラストヘッドを一定の力で押し付け続けることが必要で、作業員に大きな負担がかかる。
【００１９】
本発明は、かかる問題点に鑑みてなされたものであって、鋼部材の溶接線を下方からブラスト処理するに際し、効率的に、かつ、作業員に大きな負担をかけずにバキュームブラストをすることができるバキュームブラスト装置およびバキュームブラスト方法を提供することを課題とする。
【００２０】
さらに、鋼床版のリブ材のスカラップの直上および近傍の溶接線に対しても、効率的に、かつ、作業員に大きな負担をかけずにバキュームブラストをすることができるバキュームブラスト装置およびバキュームブラスト方法を提供することも課題とする。
【課題を解決するための手段】
【００２１】
本発明者は、上記課題を解決するため鋭意研究開発を行った結果、溶接線に沿うガイドシース樋と、該ガイドシース樋内をその長手方向に移動できるバキュームブラストヘッドと、を備えるバキュームブラスト装置とすることにより、上記課題を解決できることを見出し、本発明をするに至った。
【００２２】
即ち、本発明に係るバキュームブラスト装置の第一の態様は、鋼部材の現場溶接後の溶接線を下方からバキュームブラストするバキュームブラスト装置であって、該溶接線の直下を該溶接線に沿って配設されたガイドシース樋と、前記溶接線を含むブラスト面に密着する密着部材により該ブラスト面の一部を取り囲んで閉空間を形成して、ブラスト材の噴射および吸引をするバキュームブラストヘッドと、を備え、該バキュームブラストヘッドは、前記ガイドシース樋内に配置されて該ガイドシース樋内をその長手方向に移動可能であり、該移動とともに上方にブラスト材を噴射して、前記溶接線を下方からバキュームブラストすることができることを特徴とする。
【００２３】
本発明に係るバキュームブラスト装置の第二の態様は、１以上のスカラップを横切る、鋼部材の現場溶接後の溶接線を下方からバキュームブラストするバキュームブラスト装置であって、１以上の前記スカラップ内に配設されて、前記溶接線の直下を該溶接線に沿って配設されたガイドシース樋と、前記溶接線を含むブラスト面に密着する密着部材により該ブラスト面の一部を取り囲んで閉空間を形成して、ブラスト材の噴射および吸引をするバキュームブラストヘッドと、を備え、該バキュームブラストヘッドは、前記ガイドシース樋内に配置されて該ガイドシース樋内をその長手方向に移動可能であり、該移動とともに上方にブラスト材を噴射して、１以上の前記スカラップを横切りつつ、前記溶接線を下方からバキュームブラストすることができることを特徴とする。
【００２４】
前記ガイドシース樋の断面形状の外形は、前記スカラップの形状に合わせた形状とするのがよく、この場合、スカラップ内にはめ込んで仮置きすることができるので、位置固定がしやすくなる。また、この場合、前記ガイドシース樋は、現場の状況によっては、固定治具を用いることなく、前記スカラップへ載置するのみで配設してもよい。
【００２５】
また、前記ガイドシース樋は、鋼部材に対して繰り返し脱着可能な固定治具を用いて固定してもよく、この場合、該固定治具を繰り返し使用することができるので、経済的である。また、この固定治具は、配設作業の作業性の点で、磁力によって鋼部材に固定されるものであることが好ましい。
【００２６】
前記ガイドシース樋は、お互いに連結可能な分断要素体を連結してなることが、配設作業の作業性の点で好ましい。
【００２７】
また、前記ガイドシース樋を、その長手方向に曲げ変形が可能な構造とすることは、配設作業を容易にする点で好ましく、例えば、可撓性材料で製作された構造とすることが好ましい。
【００２８】
また、前記ガイドシース樋の断面形状の内形を、前記ヘッドの断面形状の外形に合った形状とすることは、ブラスト処理時の前記ブラストヘッドのブラスト面への密着性を維持しやすくなる点で好ましい。
【００２９】
また、前記ガイドシース樋の最上部には、前記ブラスト面と接する弾性体を備えさせることが、該ガイドシース樋の位置固定を安定させる点で好ましい。
【００３０】
また、前記ガイドシース樋は、ブラスト処理の程度を外部から視認できるようにする点で、透明材料で形成されていることが好ましい。
【００３１】
前記バキュームブラストヘッドには、ブラスト材の進行方向を前記ガイドシース樋の長手方向から前記ブラスト面に向かう方向に偏角するブラストノズルを備えさせることが、ブラスト処理の効率を向上させる点で好ましい。
【００３２】
また、前記バキュームブラストヘッドには、前記ガイドシース樋内をその長手方向に移動することを容易にする移動補助機構を備えさせることが好ましく、該移動補助機構は、例えば、前記ガイドシース樋内面の最下部よりも該内面の上方に接する車輪である。
【００３３】
また、前記ブラストヘッドには高さ調節機構を備えさせ、前記ブラスト面への密着性を調節できるようにしていることが好ましい。
【００３４】
また、前記密着部材は、例えばブラシとすることができる。
【００３５】
本発明に係るバキュームブラスト方法の第一の態様は、鋼部材の現場溶接後の溶接線を下方からバキュームブラストするバキュームブラスト方法であって、該溶接線の直下を該溶接線に沿って配設されたガイドシース樋内に、前記溶接線を含むブラスト面に密着する密着部材により該ブラスト面の一部を取り囲んで閉空間を形成して、ブラスト材の噴射および吸引をするバキュームブラストヘッドを配置し、該ガイドシース樋内をその長手方向に移動させつつ、上方にブラスト材を噴射させて、前記溶接線を下方からバキュームブラストすることを特徴とする。
【００３６】
本発明に係るバキュームブラスト方法の第二の態様は、１以上のスカラップを横切る、鋼部材の現場溶接後の溶接線を下方からバキュームブラストするバキュームブラスト方法であって、１以上の前記スカラップ内に配設されて、前記溶接線の直下を該溶接線に沿って配設されたガイドシース樋内に、前記溶接線を含むブラスト面に密着する密着部材により該ブラスト面の一部を取り囲んで閉空間を形成して、ブラスト材の噴射および吸引をするバキュームブラストヘッドを配置し、該ガイドシース樋内をその長手方向に移動させつつ、上方にブラスト材を噴射させて、１以上の前記スカラップを横切らせながら、前記溶接線を下方からバキュームブラストすることを特徴とする。
【発明の効果】
【００３７】
本発明によれば、鋼部材の現場溶接後の溶接線の直下を該溶接線に沿ってガイドシース樋配設し、該ガイドシース樋内にバキュームブラストヘッドを配置し、該バキュームブラストヘッドを該ガイドシース樋内をその長手方向に移動させつつ、上方にブラスト材を噴射して溶接線を下方からバキュームブラストすることができるので、鋼部材の溶接線を下方からブラスト処理するに際し、効率的に、かつ、作業員に大きな負担をかけずにバキュームブラストをすることができる。
【００３８】
また、ガイドシース樋を１以上のスカラップ内に配設して、前記溶接線の直下を該溶接線に沿って配設した場合には、鋼床版のリブ材のスカラップの直上および近傍の溶接線に対しても、効率的に、かつ、作業員に大きな負担をかけずにバキュームブラストをすることができる。
【００３９】
ガイドシース樋の断面形状の外形を、スカラップの形状に合わせた形状とした場合、ガイドシース樋をスカラップ内にはめ込んで仮置きすることができるので、位置固定がしやすくなる。また、ガイドシース樋の断面形状の外形を、スカラップの形状に合わせた形状とした場合、ガイドシース樋の配設作業は、現場の状況によっては、固定治具を用いることなく、スカラップへ載置するのみの極めた簡単な配設作業のみで足りることもある。
【００４０】
ガイドシース樋を、鋼部材に対して繰り返し脱着可能な固定治具を用いて固定する場合、該固定治具を繰り返し使用することができるので、経済的である。さらに、該固定治具を、磁力によって鋼部材に固定されるものにすると、ガイドシース樋の配設作業の作業性が向上する。
【００４１】
ガイドシース樋を、お互いに連結可能な分断要素体を連結してなるものとした場合、ガイドシース樋の配設作業の作業性が向上する。さらに、ガイドシース樋を、その長手方向に曲げ変形が可能な構造とした場合、配設作業の作業性がより向上する。
【００４２】
ガイドシース樋の断面形状の内形を、前記ヘッドの断面形状の外形に合った形状とした場合、ブラスト面とガイドシース樋との間で、ブラストヘッドはガイドシース樋の長手方向以外の自由度がなくなるので、ブラストヘッドはブラスト面に安定的に密着させられる。このため、ブラスト処理時にブラストヘッドをブラスト面に密着させたまま移動させる際、ブラスト面に凹凸のような外乱があっても密着を維持しやすくなる。
【００４３】
ガイドシース樋の最上部に、ブラスト面と接する弾性体を備えさせた場合、該弾性体はブラスト面の凹凸を吸収し、これによりガイドシース樋の位置固定が安定する。
【００４４】
ガイドシース樋を透明材料で形成した場合、ブラスト処理の程度を外部から視認できるようになる。
【００４５】
バキュームブラストヘッドに、ブラスト材の進行方向を前記ガイドシース樋の長手方向から前記ブラスト面に向かう方向に偏角するブラストノズルを備えさせた場合、ブラスト面にほぼ垂直にブラスト材が衝突することにより、ブラスト処理の効率が向上する。
【００４６】
バキュームブラストヘッドに、ガイドシース樋内をその長手方向に移動することを容易にする移動補助機構を備えさせた場合、ブラストヘッドがガイドシース樋内をその長手方向に円滑に移動しやすくなる。さらに、該移動補助機構を、ガイドシース樋内面の最下部よりも該内面の上方に接する車輪とした場合、ガイドシース樋内にごみ等の障害物があっても、ブラストヘッドがガイドシース樋内をその長手方向に移動する際の妨げとなりにくくなる。
【００４７】
ブラストヘッドに高さ調節機構を備えさせた場合、ブラスト面への密着性を調節でき、現場の状況に応じてブラスト面へのブラストヘッドの密着性を調整することができる。このため、ブラストヘッドは、ブラスト面に対して適度な密着性を保って、ガイドシース樋内をその長手方向に円滑に移動することができる。
【発明を実施するための最良の形態】
【００４８】
以下、図面を参照して、本発明の実施形態を詳細に説明する。
【００４９】
図７および図８は、本発明の実施形態に係るバキュームブラスト装置のガイドシース樋およびブラストヘッドがスカラップ１４０内に設置された状態を示す図であり、図７はガイドシース樋の長手方向と垂直な面でガイドシース樋およびブラストヘッドを切断した断面を示す断面図であり、図８はガイドシース樋の長手方向と平行で溶接線１１２を含む面でガイドシース樋およびブラストヘッドを切断した断面を示す断面図である。また、図９は図８のＡ−Ａ線断面図であり、図１０は図８のＢ−Ｂ線断面図である。
【００５０】
本発明の実施形態に係るこのバキュームブラスト装置１０は、ガイドシース樋２０と、ブラストヘッド３０と、を有してなる。
【００５１】
ガイドシース樋２０は、その中を移動するブラストヘッド３０をブラスト処理の対象の溶接線１１２に沿って円滑に誘導する役割を有するとともに、ブラストヘッド３０を下方から支持する役割を有しており、ブラスト処理を行う溶接線１１２の真下に溶接線１１２に沿って設けられ、１以上のスカラップ１４０内に配置される。
【００５２】
ガイドシース樋２０の断面形状の外形は、スカラップ１４０の形状（幅８０〜１２０ｍｍ程度、高さ３５〜５０ｍｍ程度の半円形）に合わせた半円形であり、スカラップ１４０内にはめ込んで仮置きすることができるようになっているので、位置固定がしやすいようになっている。また、ガイドシース樋２０の断面形状の外形を、スカラップ１４０の形状に合わせた半円形とすることにより、ガイドシース樋２０は、現場の状況によっては、固定治具を用いることなく、スカラップ１４０へ載置するのみで配設することができ、この場合、配設作業が極めて簡単になる。また、ガイドシース樋２０の断面形状の外形を、スカラップ１４０の形状に合わせた半円形とすることにより、ガイドシース樋２０の内空間を最大限に大きくすることができる。
【００５３】
また、ガイドシース樋２０の断面形状の内形を、ブラストヘッド３０の外形に合った形状とした場合には、ブラスト面とガイドシース樋２０との間で、ブラストヘッド３０はガイドシース樋２０の長手方向以外の自由度がなくなるので、ブラストヘッド３０はブラスト面に安定的に密着させられる。このため、ブラスト処理時にブラストヘッド３０をブラスト面に密着させたまま移動させる際、ブラスト面に凹凸のような外乱があっても密着を維持しやすくなる。
【００５４】
ガイドシース樋２０の位置固定は、例えば固定治具２２により下方から支持されてなされる。固定治具２２は、磁石２２Ａとクサビ２２Ｂ、２２Ｃとを有してなる。磁石２２Ａは、主桁（縦桁）１０４、横桁１０６、Ｕリブ（縦リブ）１０８、横リブ１１０のリブ板１４２に磁力で接着して位置固定がなされる。磁石２２Ａの上面にはクサビ２２Ｂが設けられており、クサビ２２Ｂの傾斜した上面にはクサビ２２Ｃの傾斜した下面が接して設けられ、クサビ２２Ｃの上面は水平になっている。クサビ２２Ｃの水平な上面の上にガイドシース樋２０が配置されている。クサビ２２Ｂとクサビ２２Ｃとの水平方向の位置関係を変えることにより、ガイドシース樋２０と磁石２２Ａの上面との間の距離を変えることができるようになっており、ガイドシース樋２０の固定位置を微調整できるようになっている。また、この固定治具２２は、鋼部材に対して繰り返し脱着可能であるので、繰り返し使用することができ、経済的である。なお、ガイドシース樋２０の位置固定をするための固定治具は、固定治具２２のように磁力によって位置固定するものでなくてもよく、例えば機械的に位置固定するものでもよい。ただし、固定する対象が鋼部材であれば、磁力を用いて固定する固定治具の方が作業性の点で好ましい。
【００５５】
また、ガイドシース樋２０の半円形の端部には、弾性体２４が取り付けられている。ガイドシース樋２０が固定治具２２により下方から押し上げられることにより、弾性体２４が鋼床版（デッキプレート）１０２の下面に押し付けられ、ブラスト面の凹凸を吸収し、これによりガイドシース樋２０の位置固定が安定する。なお、図７に示すように、鋼床版１０２とリブ板１４２との溶接部１２２があるため、スカラップ１４０の直上では、該溶接部１２２の下面に押し付けられることとなる。また、ガイドシース樋２０は、スカラップ１４０内での位置固定ができればよく、それ以上の位置精度は不要である。
【００５６】
なお、ガイドシース樋２０をスカラップ１４０内に載置するのみで、ガイドシース樋２０が鋼床版（デッキプレート）１０２の下面と適切な距離を保って位置固定がなされるのであれば、固定治具２２を用いる必要はなく、ガイドシース樋２０をスカラップ１４０内に載置するのみでよい。
【００５７】
また、ガイドシース樋２０は、スカラップ１４０間の間隔に応じた長さに分断して、分断要素体としておくことが設置作業の作業性の点で好ましい。また、その長さは一定である必要はなく、作業がしやすいように複数の長さとしてよい。ガイドシース樋２０を、スカラップ１４０間の間隔に応じた長さに分断しておくことにより、例えばスカラップ１４０間の間隔が４００〜５００ｍｍ程度と短い場合でも、ガイドシース樋２０をスカラップ１４０の中に設置することができる。そして、スカラップ１４０の中に設置したガイドシース樋２０同士を連結することにより、結果的に、長さの長いガイドシース樋２０を複数のスカラップ１４０の中に連続して挿通させることができることとなる。
【００５８】
分断されたガイドシース樋２０（分断要素体）同士の連結は、例えば図１１（Ａ）（側面図）および図１１（Ｂ）（正面図）に示すように、隣り合うガイドシース樋２０同士の接続端部を外部から覆うことができる連結治具２６を、ボルト２６Ａでガイドシース樋２０の接続端部に固定することにより行うことができる。連結治具２６はガイドシース樋２０の外形に合わせて形成された半円形であり、ガイドシース樋２０の接続端部を外部から覆うことができるようになっている。また、例えば図１２（側面図）に示すように、分断された各ガイドシース樋２０の一端に連結治具２６を取り付けた状態で現場に搬入し、設置作業を行ってもよい。
【００５９】
また、ガイドシース樋２０は、その長手方向に対して曲げ変形が可能な構造としておくことが、スカラップ１４０の中に設置する作業を容易にする点で好ましい。このような構造は、例えば図１３（Ａ）（側面図）および図１３（Ｂ）（正面図）に示すように、可撓性のあるゴム材２０Ａを半円形の補強リング２０Ｂで補強した構造である。ガイドシース樋２０をこのような構造とした場合、複数のスカラップ１４０が同一直線上にない場合であっても、長さの長いガイドシース樋２０を溶接線に沿わせて配置することができる。また、ガイドシース樋２０をスカラップ１４０内に挿通させる際の作業も容易となる。なお、図１３（Ａ）は、分断されたガイドシース樋２０の右側を下方に曲げた状態である。
【００６０】
長さの長いガイドシース樋２０を複数のスカラップ１４０の中に連続して挿通させることにより、ブラストヘッド３０は複数のスカラップ１４０を連続して通過することができる。このため、リブ板１４２によって作業空間が多数に区切られていても、挿通させたガイドシース樋２０の端部を含む１つの作業空間のみからブラスト処理作業を行うことができ、対象とする溶接線のブラスト処理を効率的に行うことができる。
【００６１】
ここで、スカラップ１４０は、２つのリブ付き鋼床版（デッキプレート）１０２を溶接接合するとき、溶接作業にリブ板１４２が邪魔となるため、リブ１４２に開けられる半円形のくぐり孔である。したがって、スカラップ１４０は、必然的に溶接線の真下に配置されることとなるので、複数のスカラップ１４０を挿通して配置されるガイドシース樋２０は、溶接線の真下に溶接線に沿って配置されることとなる。
【００６２】
また、ガイドシース樋２０は、透明材料で形成されていてもよい。透明材料で形成することにより、溶接線に対するブラスト処理の程度を、外部から視認できるようになる。
【００６３】
なお、ガイドシース樋２０は、ブラストヘッド３０から粉塵が漏れた場合、該粉塵を受ける容器ともなる。
【００６４】
ブラストヘッド３０は、ケーシング３２と、ケーシング３２の一部に形成されている開口部３４と、ブラシ（密着部材）３６と、ブラストノズル４０と、車輪（移動補助機構）４４と、を有してなる。また、ブラスト材を噴射するブラスト材噴射ダクト３８との接続口３８Ａ、および、ブラスト材やブラスト材により削り落とされたものを吸引する吸引ダクト４２との接続口４２Ａを備えている。
【００６５】
ブラストヘッド３０は、ブラスト材をブラスト面に向けて噴射してブラスト処理を行うとともに、ブラスト材やブラスト材により削り落とされたものを吸引して集め、外部に飛散させない役割を有する。ブラストヘッド３０は、ガイドシース樋２０内に配置されて、その長手方向を移動できるようになっている。ガイドシース樋２０の断面形状の外形は、スカラップ１４０の形状（幅８０〜１２０ｍｍ程度、高さ３５〜５０ｍｍ程度の半円形）に合わせた半円形であり、従来のブラストヘッドの大きさよりも小さいが、ガイドシース樋２０内に配置される本実施形態に係るブラストヘッド３０の断面形状は、ガイドシース樋２０の断面形状の内形よりもさらに小さい。したがって、ブラストヘッド３０は、その移動方向に細長い形状となっている。ブラストヘッド３０の外形は、ガイドシース樋２０の断面形状の内形に合わせた形状であるので、ガイドシース樋２０内に配置されることにより、位置精度が確保されるようになっている。
【００６６】
ケーシング３２は、ガイドシース樋２０の形状に合った形状で、ブラストヘッド３０の大半の外形を形作る。ブラストヘッド３０をガイドシース樋２０の形状に合った形状とすることにより、ブラストヘッド３０はガイドシース樋２０内をその長手方向に円滑に移動しやすくなる。
【００６７】
開口部３４は、ブラスト材がブラスト面に向けて噴射されるブラスト材の出口であり、また、ブラスト面に衝突したブラスト材やブラスト材により削り落とされたものがブラストヘッド３０内にもどってくる入り口でもあり、ケーシング３２の一部に形成されている。スカラップ１４０内に設置されたガイドシース樋２０内にブラストヘッド３０が配置されると、開口部３４は上方を向くようになっている。
【００６８】
ブラシ（密着部材）３６は、ケーシング３２の端部においてケーシング３２に対して略垂直方向に設けられており、ブラスト面に密着してブラストする部位を取り囲んで閉空間を形成する。ブラシ３６は、吸引ダクト４２によってブラストヘッド３０内が吸引された際、この閉空間内（ブラストヘッド３０内）を減圧に保つことができ、ブラスト材やブラスト材により削り落とされたものは外部に漏らさないが、吸引ダクト４２による吸引により外気を取り込むことはできるようになっており、吸引循環気流をつくりだせるようになっている。また、ブラストヘッド３０がガイドシース樋２０内を移動すると、ブラシ３６はブラスト面（鋼床版（デッキプレート）１０２下面）に押し付けられつつ移動するが、その際の移動抵抗は少なくなるようなものを用いるのがよい。また、ブラストヘッド３０がガイドシース樋２０内を移動しても、ブラスト面に密着してブラスト面の凹凸に追従でき、移動に支障を与えないものがよい。
【００６９】
ブラストヘッド３０には、ブラスト材噴射ダクト３８と吸引ダクト４２とを一体として備えたブラストダクト４６が接続されて、ブラスト材の噴射および吸引がなされる。具体的には、ブラスト材噴射ダクト３８がブラストヘッド３０のブラスト材噴射ダクト接続口３８Ａに接続され、吸引ダクト４２がブラストヘッド３０の吸引ダクト接続口４２Ａに接続される。これにより、ブラストヘッド３０は、ブラストダクト４６からブラスト材の供給を受けるとともに、吸引力の供給を受けることができることとなる。ブラストダクト４６は、その長手方向に対してある程度曲げ変形が可能な構造となっている。
【００７０】
ブラスト材噴射ダクト３８は、ブラストヘッド３０のブラスト材噴射ダクト接続口３８Ａに接続されて、ブラスト材を圧縮空気でブラストノズル４０に送り込む役割を有している。ブラスト材噴射ダクト３８は、前述のように、吸引ダクト４２と一体となって、ブラストダクト４６を構成する。
【００７１】
ブラストノズル４０は、ブラスト材噴射ダクト３８の先端に位置し、ブラスト材噴射ダクト３８によって送り込まれたブラスト材をブラスト面に向けて噴射する役割を有する。ブラストノズル４０は、ガイドシース樋２０の長手方向から天井面（ブラスト面）に向かう方向に約９０度変角しており、ブラスト材噴射ダクト３８内をガイドシース樋２０の長手方向に進行してきたブラスト材は、ブラストノズル４０により進行方向を天井面（ブラスト面）に変え、天井面（ブラスト面）に向けて噴射孔４０Ａから噴射される。ブラスト面にほぼ垂直にブラスト材が衝突することにより、ブラスト処理の効率が向上する。
【００７２】
吸引ダクト４２は、ブラストヘッド３０の吸引ダクト接続口４２Ａに接続されて、ブラスト材やブラスト材により削り落とされたものを吸引する役割を有する。吸引ダクト４２は、前述のように、ブラスト材噴射ダクト３８と一体となって、ブラストダクト４６を構成する。ブラストダクト４６（ブラスト材噴射ダクト３８および吸引ダクト４２）は、ガイドシース樋２０と略同一直線上に配置することができ、ガイドシース樋２０内を円滑に移動できるようになっている。
【００７３】
図１４は、ブラスト材噴射ダクト３８と吸引ダクト４２との配置関係の一例を示す図であり、ブラスト材噴射ダクト３８および吸引ダクト４２の長手方向と直交する平面でブラストダクト４６を切断した断面図である。図１４に示すように、ブラスト材噴射ダクト３８は吸引ダクト４２の内部に配置されており、吸引ダクト４２の断面形状は水平方向に細長い小判型であり、ブラスト材噴射ダクト３８の断面形状は円形である。なお、ブラスト材噴射ダクト３８と吸引ダクト４２との配置関係は、図１４に示すような配置関係に限定されず、ブラストヘッド３０中において、気体が円滑に流れるようにブラスト材噴射ダクト３８および吸引ダクト４２の流路が確保されるような配置関係であればよい。
【００７４】
車輪（移動補助機構）４４は、例えば、ブラストヘッド３０の下部に合計６個設けられており、ガイドシース樋２０の内面に接して移動し、ブラストヘッド３０がガイドシース樋２０内をその長手方向に円滑に移動しやすくするようにする役割を有する。車輪４４を設けることにより、ブラストヘッド３０はガイドシース樋２０から支持力を受けることができるとともに、ガイドシース樋２０とブラストヘッド３０との間に空間が設けられ、ブラスト材やブラスト材により削り落とされたものがブラシ３６から漏れてガイドシース樋２０の中に溜まっても、ブラストヘッド３０はガイドシース樋２０内をその長手方向に円滑に移動することができる。
【００７５】
車輪４４は、図７に示すように、ガイドシース樋２０と接する部位がガイドシース樋２０内面の最下部よりもやや上方の位置となるようにするのがよい。ブラスト材やブラスト材により削り落とされたものがブラシ３６から漏れてガイドシース樋２０の中に溜まる場合、ガイドシース樋２０内面の最下部から溜まっていくので、ガイドシース樋２０内のごみ等の障害物の影響を受けにくくなるからである。
【００７６】
また、車輪４４の車軸４４Ａの位置は移動できるようになっており、車軸４４Ａの位置を変更させることにより、ブラストヘッド３０の高さを調節できるようになっている。また、車輪４４には直径の異なる車輪を用いることも可能であり、車輪４４の直径を変更することによってもブラストヘッド３０の高さを調節できるようになっている。ブラストヘッド３０は、ブラスト面に対してブラシ３６を介して押し付けられるが、車軸４４Ａの位置または車輪４４の直径を変更して高さを調節することにより、現場の状況に応じてブラシ３６のブラスト面への密着性を調整することができる。ブラシ３６のブラスト面への密着性を調整することにより、ブラストヘッド３０は、ブラスト面に対してブラシ３６を押し付けた状態で、ガイドシース樋２０内をその長手方向に円滑に移動することができる。
【００７７】
ブラストヘッド３０の移動機構は、特に限定されず、例えば、ブラストヘッド３０の先端にワイヤを取り付け、該ワイヤをウィンチ等によって引っ張るような機構や手動で引っ張るような機構とすることができる。また、ブラストヘッド３０と連結されたブラストダクト４６を押し込むこと又は引っ張ることによって、ブラストヘッド３０を移動させることもできる。また、例えば、ブラストヘッド３０にモータを取り付け、該モータからの駆動力によって車輪４４を回転させて、ブラストヘッド３０を移動させるような自走機構とすることもできる。
【００７８】
ブラストヘッド３０の移動時に、車輪４４はガイドシース樋２０の内面に接して回転するので、ガイドシース樋２０は簡単な機構でありながら誘導レールと同様の働きをする。さらに、ガイドシース樋２０を用いた場合、誘導レールを用いた場合よりも車輪４４の位置に自由度があり、誘導レールを用いた場合に必要となる、脱輪防止などの調整機構は不要である。
【００７９】
ブラストヘッド３０のブラシ３６がブラスト面に押し付けられる力は、車輪４４がガイドシース樋２０から反力を受けることによって供給される。車輪４４からガイドシース樋２０が受けた力は、固定治具２２を介してリブ板１４２に伝達される。
【００８０】
次に、本発明の実施形態に係るバキュームブラスト装置１０を用いてのブラスト処理の手順について、Ｕリブ１０８のスカラップ１４０にガイドシース樋２０を挿通させる場合を例に取り上げて説明する。
【００８１】
（１）まず、Ｕリブ１０８のスカラップ１４０間の間隔に合わせて分断されたガイドシース樋２０を、Ｕリブ１０８のスカラップ１４０の中に挿通させる。その際、ガイドシース樋２０の端部が、隣り合うＵリブ１０８の間に位置するようにし、Ｕリブ１０８の内部に位置しないようにする。ガイドシース樋２０の端部がＵリブ１０８の内部に位置すると、ガイドシース樋２０同士を連結治具２６で連結していく作業が困難となるからである。
【００８２】
（２）次に、スカラップ１４０の中に挿通させたガイドシース樋２０同士を連結治具２６で連結していく。隣り合うガイドシース樋２０の端部同士を連結治具２６で外側から覆うとともに、ボルト２６Ａで連結治具２６をガイドシース樋２０に固定し、ガイドシース樋２０を連結する。以上の連結を所定の回数行い、必要な長さを確保し、ブラスト処理を行う溶接線に沿ってガイドシース樋２０を設置する。
【００８３】
（３）ブラストヘッド３０を前進させるためのワイヤを、連結されたガイドシース樋２０内の端から端まで挿通させて配置し、該ワイヤの一端をブラストヘッド３０の先端に取り付ける。なお、ブラストダクト４６を押し込むことで、又は引き込むことで、ブラストヘッド３０を前進または後退させる場合は、前記ワイヤの取り付けは不要である。
【００８４】
（４）ワイヤの取り付けられたブラストヘッド３０を、連結されたガイドシース樋２０の一端から挿入する。
【００８５】
（５）ブラストヘッド３０の吸引を開始した後にブラスト噴射を開始する。ブラスト面にブラシ３６が適切に密着していることを確認した後、ワイヤを引っ張り、ブラストヘッド３０を前進させていき、対象とする溶接線をブラスト処理していく。ブラストヘッド３０が前進していくことに伴い、ブラストダクト４６がガイドシース樋２０内にその長手方向に沿って入り込んでいく。ワイヤを使用しない場合は、ブラストダクト４６を押し込んで、ブラストヘッド３０を前進させていく。ブラスト面にブラシ３６が適切に密着していない場合には、ガイドシース樋２０の位置固定をする固定治具２２の位置を調整するか、ブラストヘッド３０の高さを調整して、適切に密着させる。
【００８６】
以上説明したように、本発明の実施形態に係るバキュームブラスト装置１０においては、ブラスト面から所定の距離のところにガイドシース樋２０を配置することにより、ガイドシース樋２０内に配置されたブラストヘッド３０のブラシ（密着部材）３６を、ブラスト面に適切に密着させることができる。
【００８７】
また、ブラスト面の凹凸等によって、バキュームブラスト装置１０に予期せぬ力が加わってもその位置を保持することができる。
【００８８】
また、ガイドシース樋２０の半円形の外形は、スカラップ１４０の形状に合わせて形成されているので、スカラップ１４０内にはめ込んで仮置きすることができ、位置固定がしやすい。また、リブ板１４２が鋼製であるので、磁力固定式の簡易な固定治具２２により固定することも可能である。
【００８９】
また、ガイドシース樋２０の断面形状の内形を、ブラストヘッド３０の外形に合った形状とした場合には、ブラスト面とガイドシース樋２０との間で、ブラストヘッド３０はガイドシース樋２０の長手方向以外の自由度がなくなるので、ブラストヘッド３０はブラスト面に安定的に密着させられ、ブラスト面の凹凸のような外乱に対しても密着を維持しやすくなる。
【００９０】
また、ガイドシース樋２０は、ブラストヘッド３０から粉塵が漏れた場合、該粉塵を受ける容器ともなる。
【００９１】
ブラストヘッド３０の下部には、車輪４４が設けられており、ブラストヘッド３０がガイドシース樋２０内を移動する際には、該車輪４４がガイドシース樋２０の内面に接して回転するので、ブラストヘッド３０がガイドシース樋２０内を移動することが容易となる。
【図面の簡単な説明】
【００９２】
【図１】Ｕリブ鋼床版を斜め上方から見た斜視図
【図２】Ｕリブ鋼床版を斜め下方から見た斜視図
【図３】現場で溶接される鋼床版を斜め上方から見た斜視図
【図４】鋼床版（デッキプレート）下面に設置された裏当て材と裏当て材カバーを示す斜視図
【図５】鋼床版（デッキプレート）上面からサブマージアーク溶接を行っている状況を示す斜視図
【図６】鋼床版下面の溶接線に対してバキュームブラストを行っている状況を模式的に示す断面図（溶接線を含む面で鉛直方向に切断した断面）
【図７】本発明の実施形態に係るバキュームブラスト装置のガイドシース樋およびブラストヘッドがスカラップ内に設置された状態を示す図であり、ガイドシース樋の長手方向と垂直な面でガイドシース樋およびブラストヘッドを切断した断面を示す断面図
【図８】本発明の実施形態に係るバキュームブラスト装置のガイドシース樋およびブラストヘッドがスカラップ内に設置された状態を示す図であり、ガイドシース樋の長手方向と平行で溶接線を含む面でガイドシース樋およびブラストヘッドを切断した断面を示す断面図
【図９】図８のＡ−Ａ線断面図
【図１０】図８のＢ−Ｂ線断面図
【図１１】分断されたガイドシース樋同士の連結の状況を示す、（Ａ）側面図および（Ｂ）正面図
【図１２】分断されたガイドシース樋の一端に連結治具を取り付けた状態を示す側面図
【図１３】曲げ変形が可能な構造のガイドシース樋を示す（Ａ）側面図および（Ｂ）正面図
【図１４】ブラストダクトの断面図（ブラスト材噴射ダクトと吸引ダクトとの配置関係の一例を示す図で、ブラスト材噴射ダクトおよび吸引ダクトの長手方向と直交する平面で切断した断面図）
【符号の説明】
【００９３】
１０…バキュームブラスト装置
２０…ガイドシース樋
２０Ａ…ゴム材
２０Ｂ…補強リング
２２…固定治具
２２Ａ…磁石
２２Ｂ、２２Ｃ…クサビ
２４…弾性体
２６…連結治具
２６Ａ…ボルト
３０…ブラストヘッド
３２…ケーシング
３４…開口部
３６…ブラシ（密着部材）
３８…ブラスト材噴射ダクト
３８Ａ…ブラスト材噴射ダクト接続口
４０…ブラストノズル
４０Ａ…噴射孔
４２…吸引ダクト
４２Ａ…吸引ダクト接続口
４４…車輪
４４Ａ…車軸
４６…ブラストダクト
１００…Ｕリブ鋼床版
１０２…鋼床版（デッキプレート）
１０４…主桁（縦桁）
１０６…横桁
１０８…Ｕリブ
１１０…横リブ
１１２…溶接線
１１４…現場ボルト接合部
１１６…裏当て材
１１８…裏当て材カバー
１２０…溶接ビード
１３０…バキュームブラストヘッド
１３２…ブラスト供給部
１３４…バキューム部
１３６…ブラシ
１４０…スカラップ
１４２…リブ板
【図３】
0005012552.tif 000002
【図４】
0005012552.tif 000003
【図５】
0005012552.tif 000004
【図６】
0005012552.tif 000005
【図７】
0005012552.tif 000006
【図８】
0005012552.tif 000007
【図９】
0005012552.tif 000008
【図１０】
0005012552.tif 000009
【図１１】
0005012552.tif 000010
【図１２】
0005012552.tif 000011
【図１３】
0005012552.tif 000012
【図１４】
0005012552.tif 000013
【図１】
0005012552.tif 000014
【図２】
0005012552.tif 000015